(57)【要約】      （修正有）【課題】ドライバービットの挿入体がドリル取着体に対し嵌脱自在なドリル付き電動工具を提供する。【解決手段】電動工具の先端部に接続する前方開口部２を有し、ドリル１が嵌挿可能なバネ３ａを挿入するドリル収納部３と、シャンク１４を有するドリル取着体ａと、磁石体とドライバービットとを挿入する前方開口部付きの嵌挿部を有し、且後方部にドリル取着体ａのドリル収納部３に嵌脱する後方開口部付きの後方嵌挿部を有するドライバービット挿入体ｂとを形成し、ドライバービット挿入体ｂとドリル取着体ａとを嵌脱自在に組立てる。【選択図】図４
0003135811.tif 000002
【実用新案登録請求の範囲】
【請求項１】
電動工具の先端部に接続する前方開口部を有し、且ドリルが嵌挿可能なバネを挿入するドリル収納部と、シャンクを有するドリル取着体と、磁石体とドライバービットとを挿入する前方開口部付きの嵌挿部を有し、且後方部に前記ドリル取着体ａのドリル収納部に嵌脱する後方開口部付きの後方嵌挿部を有するドライバービット挿入体とを形成し、前記ドライバービット挿入体と前記ドリル取着体とを嵌脱自在に組立てることを特徴とするドリル付き電動工具。
【請求項２】
前記ドリル取着体は、前記ドリル収納部寄りの外周部に角形状係止部を形成し、前記角形状係止部よりも後方部寄りの外周部に円形状係止部を形成せしめると共に、前記ドライバービット挿入体の後方嵌挿部の内側面に、断面が円形状の円形状嵌挿部を、且前記円形状嵌挿部よりも、前記ドライバービットを挿入する前方開口部付きの嵌挿部の内側面に、断面が角形状の角形状嵌挿部を形成せしめることを特徴とする請求項１記載のドリル付き電動工具。
【請求項３】
前記ドリル取着体に取着するドリルは、前記ドリル取着体に装着するドリル嵌脱機構によって嵌脱自在とすることを特徴とする請求項１又は同２記載のドライバービット挿入体が嵌脱自在となることを特徴とするドリル付き電動工具。
【請求項４】
前記ドリル取着体ａの角形状係止部１０を、所定の間隔おきに複数突設せしめることを特徴とする請求項１又は同２又は同３記載のドリル付き電動工具。
【請求項５】
前記ドリル取着体は、前記ドリル取着体の円形状係止部と、後方部に延設のシャンクとの間の外周部の径を、前記円形状係止部の径よりも小径とし、前記外周部に前記ドリル収納部に達する傾斜状切欠部を形成し、前記傾斜状切欠部の傾斜角度は前記円形状係止部の方向に傾斜せしめ、前記ドリル取着体にバネを捲廻して、前記バネの前端部を前記傾斜状切欠部に嵌挿し、前方に前方開口部を後方に前記ドリル取着体に嵌挿の嵌挿孔を有し、且前記バネを押圧する底部付きバネ被覆筒体を形成し、前記バネ被覆筒体を前記ドリル取着体に嵌挿して前記バネの後端部を前記バネ被覆筒体の底部に係止し、且前記バネ被覆筒体の底部を前記ドリル取着体の外周部に嵌挿の止めリングによって後方への飛出を阻止し、前記バネの前端部を押圧する小径嵌挿孔付き押圧板部と、前記前方挿入体と前記バネ被覆筒体の外周に嵌挿するスライド筒体を形成し、前記スライド筒体を前記ドリル取着体に前記押圧板部を嵌挿し、且前記ドリル取着体と前記バネ被覆筒体に被覆せしめ組み立てることを特徴とする請求項１又は同２又は同３又は同４記載のドリル付き電動工具。
【請求項６】
前方に開口部を有するドリルの頭部が嵌挿可能な嵌挿孔を形成し、後方部にシャンクを形成し前記開口部側方の外周部に、スリット付きの雄ネジを形成し、且前記シャンク側方に六角形状の嵌挿部を形成し、前記雄ネジに螺着する内側に雌ネジを形成するキャップからなるドリル取着体を形成し、前記ドリルを嵌挿し、且前記ドリル取着体に嵌脱自在な後方開口部を有するドリル収納部を形成し、前記ドリル収納部の前方部にドライバービットを挿入する前方開口部付きの嵌挿部を有し、前記嵌挿部に磁石体を嵌挿するドライバービット挿入体の形成し、前記取着体に前記ドライバービット挿入体のドリル収納部を嵌脱自在に挿入し、前記ドリル取着体を電動工具の先端部に接続することを特徴とするドリル付き電動工具。
【請求項７】
前記ドリル取着体は、前方に開口部を有するドリルの頭部が嵌挿可能な嵌挿孔を形成し、後方部にシャンクを形成し、前記開口部寄りの外周部から前記嵌挿孔に達する螺孔を形成し、前記螺孔に六角ボルトを螺入し、ドリルの頭部を固着し、前記外周部に嵌挿部を形成することを特徴とする請求項６記載のドリル付き電動工具。
【考案の詳細な説明】
【技術分野】
【０００１】
本考案は、ドライバービットの挿入体がドリル取着体に対し嵌脱自在なドリル付き電動工具の分野に関するものである。
【背景技術】
【０００２】
従来、六角軸対辺６．３５ｍｍビット用ジョイントホルダーが特開平９−２７７１３５公開特許公報として開示されている。
【０００３】
前記開示の公開特許公報の発明は、ドリルとドライバーとを取着する電動工具を２台を不要とし、一台の電動工具で足りるとするものであるが、この発明のジョイントホルダーは、キリとドライバービットの何れか一方を中空軸１内に予め収納しておき、そして前記中空軸１内に収納中のキリもしくはドライバービットを電動ドリルに嵌脱自在に接続し、収納中のものが、キリのときは、ドライバービットを前記中空軸１の前方部に嵌挿し作業をし、他方キリを使用したいときは、前記中空軸１を前記電動ドリルから離脱し、収納中のキリを取出し、取出し後は前記ドライバービットを取外し、前記中空軸１内に嵌挿し、且前記電動ドリルに接続すると共に、前記キリを前記中空軸１の前方部に嵌挿せしめる機構である。
【特許文献１】特開平９−２７７１３５公開特許公報
【考案の開示】
【考案が解決しようとする課題】
【０００４】
前記した従来の技術背景技術として挙げた特開平９−２７７１３５公開特許公報の発明は、中空軸１を同軸１内に予め収納している、ドリルもしくはドライバービットを介して電動ドリルに接続し、前記中空軸１の前方部に形成の嵌挿孔にドライバービットもしくはドリルを嵌挿して穴開け、もしくはビス留め作業をする機構である。従って前記中空軸１にドライバービットを挿入したときは、挿入状態のまゝでビス止め作業はできないし、他方ドリルを挿入しているときは、穴開け作業ができない構成である。
【０００５】
しかるに、本考案のドリル付き電動工具は、電動工具に取着する嵌脱可能なドリル取着体に、ドライバービットを嵌挿する前方挿入体を嵌脱自在に組立てる構成にして、既にドリル取着体に取着のドリルを、取外して前記ドライバービットと取替えての使用をなくした。
【０００６】
さらに、本考案のドリル付き電動工具は、ドリルに対しドライバービットを嵌挿する前方挿入体を嵌込み作業をしても、前記前方挿入体が回転時にぶれたりしないよう改良をした。
【０００７】
また、本考案のドリル付き電動工具は、前記ドリル使用のため切り換え作業時に、前記前方挿入体を引張るだけのワンタッチ工程で極めて簡単且迅速に分離ができる。
【０００８】
さらに、本考案のドリル付き電動工具は、前記ドリルを回転したまゝ前記ドライバービットを嵌挿する前方挿入体を極めて短時間で前記ドリルに嵌着したり、あるいは離脱せしめることができる。
【課題を解決するための手段】
【０００９】
課題を解決するための手段として、請求項１記載の考案は、電動工具の先端部に接続する前方開口部２を有し、且ドリル１が嵌挿可能なバネ３ａを挿入するドリル収納部３と、シャンク１４を有するドリル取着体ａと、磁石体４ａとドライバービット４とを挿入する前方開口部５付きの嵌挿部６を有し、且後方部に前記ドリル取着体ａのドリル収納部３に嵌脱する後方開口部７ａ付きの後方嵌挿部７を有するドライバービット挿入体ｂとを形成し、前記ドライバービット挿入体ｂと前記ドリル取着体ａとを嵌脱自在に組立てることを特徴とするドリル付き電動工具である。
【００１０】
課題を解決するための手段として、請求項２記載の考案は、前記ドリル取着体ａは、前記ドリル収納部３寄りの外周部９に角形状係止部１０を形成し、前記角形状係止部１０よりも後方部寄りの外周部９に円形状係止部１１を形成せしめると共に、前記ドライバービット挿入体ｂの後方嵌挿部７の内側面に、断面が円形状の円形状嵌挿部１２を、且前記円形状嵌挿部１２よりも、前記ドライバービット４を挿入する前方開口部５付きの嵌挿部６の内側面に、断面が角形状の角形状嵌挿部１３を形成せしめることを特徴とする請求項１記載のドリル付き電動工具である。
【００１１】
課題を解決するための手段として、請求項３記載の考案は、前記ドリル取着体ａに取着するドリル１は、前記ドリル取着体ａに装着するドリル嵌脱機構ｃによって嵌脱自在とすることを特徴とする請求項１又は同２記載のドライバービット挿入体が嵌脱自在となることを特徴とするドリル付き電動工具である。
【００１２】
課題を解決するための手段として、請求項４記載の考案は、前記ドリル取着体ａの角形状係止部１０を、所定の間隔おきに複数突設せしめることを特徴とする請求項１又は同２又は同３記載のドリル付き電動工具である。
【００１３】
課題を解決するための手段として、請求項５記載の考案は、前記ドリル取着体ａは、前記ドリル取着体ａの円形状係止部１１と、後方部に延設のシャンク１４との間の外周部９の径を、前記円形状係止部１１の径よりも小径とし、前記外周部９に前記ドリル収納部８に達する傾斜状切欠部１５を形成し、前記傾斜状切欠部１５の傾斜角度は前記円形状係止部１１の方向に傾斜せしめ、前記ドリル取着体ａにバネ１６を捲廻して、前記バネ１６の端部を前記傾斜状切欠部１５に嵌挿し、前方に前方開口部１７を後方に前記ドリル取着体ａに嵌挿の嵌挿孔１８を有し、且前記バネ１６を押圧する底部２０付きバネ被覆筒体２１を形成し、前記バネ被覆筒体２１を前記ドリル取着体ａに嵌挿して前記バネ１６の後端部を前記バネ被覆筒体２１の底部２０に係止し、且前記バネ被覆筒体２１の底部２０を前記ドリル取着体ａの外周部９に嵌挿の止めリング２２によって後方への飛出を阻止し、前記前バネｂの前端部を押圧する小径嵌挿孔１９付き押圧板部２３と、前記前方挿入体ｂと前記バネ被覆筒体２１の外周に嵌挿するスライド筒体２４を形成し、前記スライド筒体２４を前記ドリル取着体ａに前記押圧板部２３を嵌挿し、且前記ドリル取着体ａと前記バネ被覆筒体２１に被覆せしめ組み立てることを特徴とする請求項１又は同２又は同３又は同４記載のドリル付き電動工具である。
【００１４】
課題を解決するための手段として、請求項６記載の考案は、前方に開口部２５を有するドリル１の頭部１ａが嵌挿可能な嵌挿孔２６を形成し、後方部にシャンク１４を形成し前記開口部２５側方の外周部２７に、スリット付きの雄ネジ２８を形成し、且前記シャンク２７側方に六角形状の嵌挿部２９を形成し、前記雄ネジ２８に螺着する内側に雌ネジを形成するキャップ３０からなるドリル取着体ｅを形成し、前記ドリル１を嵌挿し、且前記ドリル取着体ｅに嵌脱自在な後方開口部３１を有するドリル収納部３２を形成し、前記ドリル収納部３２の前方部にドライバービット３３を挿入する前方開口部３４付きの嵌挿部３５を有し、前記嵌挿部３５に磁石体３６を嵌挿するドライバービット挿入体ｆの形成し、前記取着体ｅに前記ドライバービット挿入体ｆのドリル収納部３２を嵌脱自在に挿入し、前記ドリル取着体ｅを電動工具の先端部に接続することを特徴とするドリル付き電動工具である。
【００１５】
課題を解決するための手段として、請求項７記載の考案は、前記ドリル取着体ｅは、前方に開口部２５を有するドリル１の頭部１ａが嵌挿可能な嵌挿孔２６を形成し、後方部にシャンク１４を形成し、前記開口部２５寄りの外周部２７から前記嵌挿孔２６に達する螺孔３７を形成し、前記螺孔３７に六角ボルト３８を螺入し、ドリル１の頭部１ａを固着し、前記外周部２７に嵌挿部２９を形成することを特徴とする請求項６記載のドリル付き電動工具である。
【考案の効果】
【００１６】
請求項１記載の考案は、電動工具の先端部に接続する前方開口部２を有し、且ドリル１が嵌挿可能なバネ３ａを挿入するドリル収納部３と、シャンク１４を有するドリル取着体ａと、磁石体４ａとドライバービット４とを挿入する前方開口部５付きの嵌挿部６を有し、且後方部に前記ドリル取着体ａのドリル収納部３に嵌脱する後方開口部７ａ付きの後方嵌挿部７を有するドライバービット挿入体ｂとを形成し、前記ドライバービット挿入体ｂと前記ドリル取着体ａとを嵌脱自在に組立てるドリル付き電動工具なので、前記ドリルを取着して回転したまま、前記前方挿入体を前記ドリルに被せてることが極めて簡単に、且短時間でネジ締め作業ができる利点を有している。
【００１７】
さらに、本考案は、前記ドリルを取着し、回転したまゝ、前記前方挿入体を短時間で離脱せしめることができる。
【００１８】
請求項２記載の考案は、前記ドリル取着体ａは、前記ドリル収納部３寄りの外周部９に角形状係止部１０を形成し、前記角形状係止部１０よりも後方部寄りの外周部９に円形状係止部１１を形成せしめると共に、前記ドライバービット挿入体ｂの後方嵌挿部７の内側面に、断面が円形状の円形状嵌挿部１２を、且前記円形状嵌挿部１２よりも、前記ドライバービット４を挿入する前方開口部５付きの嵌挿部６の内側面に、断面が角形状の角形状嵌挿部１３を形成せしめるドリル付き電動工具なので、請求項１記載の考案の効果と同じ効果を有している。
【００１９】
さらに本考案は、前記前方挿入体を前記ドリル取着体に被せ使用しても、ぶれ現象が発生しない利点を有している。
【００２０】
請求項３記載の考案は、前記ドリル取着体ａに取着するドリル１は、前記ドリル取着体ａに装着するドリル嵌脱機構ｃによって嵌脱自在とすることを特徴とする請求項１又は同２記載のドライバービット挿入体が嵌脱自在となるドリル付き電動工具なので、前記請求項１又は同２記載の考案の効果と同じ効果を有している。
【００２１】
さらに、本考案は、前記ドリル取着体に嵌着のドリルを前記ドリル嵌脱機構を介してスムーズに離脱できる利点がある。
【００２２】
請求項４記載の考案は、前記ドリル取着体ａの角形状係止部１０を、所定の間隔おきに複数突設せしめるドリル付き電動工具なので、前記請求項１又は同２又は同３記載の効果と同じ効果を有している。
【００２３】
さらに、本考案は、前記前方挿入体がぶれたりしない利点を有している。
【００２４】
また、本考案は、ドリルが確実に取着し、あるいは極めて簡単且迅速に離脱できる利点を有している。
【００２５】
請求項５記載の考案は、前記ドリル取着体ａは、前記ドリル取着体ａの円形状係止部１１と、後方部に延設のシャンク１４との間の外周部９の径を、前記円形状係止部１１の径よりも小径とし、前記外周部９に前記ドリル収納部８に達する傾斜状切欠部１５を形成し、前記傾斜状切欠部１５の傾斜角度は前記円形状係止部１１の方向に傾斜せしめ、前記ドリル取着体ａにバネ１６を捲廻して、前記バネ１６の前端部を前記傾斜状切欠部１５に嵌挿し、前方に前方開口部１７を後方に前記ドリル取着体ａに嵌挿の嵌挿孔１８を有し、且前記バネ１６を押圧する底部２０付きバネ被覆筒体２１を形成し、前記バネ被覆筒体２１を前記ドリル取着体ａに嵌挿して前記バネ１６の後端部を前記バネ被覆筒体２１の底部２０に係止し、且前記バネ被覆筒体２１の底部２０を前記ドリル取着体ａの外周部９に嵌挿の止めリング２２によって後方への飛出を阻止し、前記バネ１６の前端部を押圧する小径嵌挿孔１９付き押圧板部２３と、前記前方挿入体ｂと前記バネ被覆筒体２１の外周に嵌挿するスライド筒体２４を形成し、前記スライド筒体２４を前記ドリル取着体ａに前記押圧板部２３を嵌挿し、且前記ドリル取着体ａと前記バネ被覆筒体２１に被覆せしめ組み立てるドリル付き電動工具なので、前記電動工具に取着している前記ドリル取着体のドリルを確実に嵌着したり、あるいは取出すことができる利点を有している。
【００２６】
請求項６記載の考案は、前方に開口部２５を有するドリル１の頭部１ａが嵌挿可能な嵌挿孔２６を形成し、後方部にシャンク１４を形成し前記開口部２５側方の外周部２７に、スリット付きの雄ネジ２８を形成し、且前記シャンク２７側方に六角形状の嵌挿部２９を形成し、前記雄ネジ２８に螺着する内側に雌ネジを形成するキャップ３０からなるドリル取着体ｅを形成し、前記ドリル１を嵌挿し、且前記ドリル取着体ｅに嵌脱自在な後方開口部３１を有するドリル収納部３２を形成し、前記ドリル収納部３２の前方部にドライバービット３３を挿入する前方開口部３４付きの嵌挿部３５を有し、前記嵌挿部３５に磁石体３６を嵌挿するドライバービット挿入体ｆの形成し、前記取着体ｅに前記ドライバービット挿入体ｆのドリル収納部３２を嵌脱自在に挿入し、前記ドリル取着体ｅを電動工具の先端部に接続するドリル付き電動工具なので、前記ドリル取着体に対し前記ドライバービット挿入体を嵌着したり、あるいは嵌着状態から離脱する作業を確実、且迅速に処理できる利点を有している。
【００２７】
請求項７記載の考案は、前記ドリル取着体ｅは、前方に開口部２５を有するドリル１の頭部１ａが嵌挿可能な嵌挿孔２６を形成し、後方部にシャンク１４を形成し、前記開口部２５寄りの外周部２７から前記嵌挿孔２６に達する螺孔３７を形成し、前記螺孔３７に六角ボルト３８を螺入し、ドリル１の頭部１ａを固着し、前記外周部２７に嵌挿部２９を形成するドリル付き電動工具なので、前記請求項６記載の考案の効果と同じ効果を有している。
【考案を実施するための最良の形態】
【００２８】
本考案の請求項１〜７記載の考案に関する実施の形態は共通しているので、以下のとおり一括して説明する。
【００２９】
図において、ａはドリル取着体であり、この取着体ａは、電動工具（図示なし）の先端部に接続するものであって、ドリル１が嵌脱可能である。
【００３０】
そして、前方部に前方開口部２を有するドリル収納部３を形成する。このドリル収納部３には、バネ３ａが挿入される。
【００３１】
さらに本考案は、前記ドリル取着体ａに嵌脱するドライバービット挿入体ｂがある。
【００３２】
この挿入体ｂは、前方部に磁石体４ａとドライバービット４とを挿入する前方開口部５付きの嵌挿部６を形成する。そして後方部に前記ドリル取着体ａのドリル収納部３に嵌脱する後方開口部７ａ付きの後方嵌挿部７を形成する。１７ｂは前記後方嵌挿部７の後方開口部７ａ寄りに形成した貫通孔であり、この貫通孔７ｂにボール７ｃを嵌挿し、バンド７ｄにて前記ボール７ｃの飛出を阻止している。
【００３３】
従って、前記ドリル１のみを使用するときは、前記ドライバービット挿入体ｂを離脱し、他方ドライバービット４を使用してネジを回転させるときは、前記ドリル取着体ａに、前記ドライバービット挿入体ｂを嵌着する。
【００３４】
さらに、前記ドリル取着体ａは、下記の構成からなっている。
【００３５】
前記ドリル収納部３寄りの外周部９には、角形状（通常六角形状）の係止部１０を形成する。そして前記角形状係止部１０より後方部の外周部９に円形状係止部１１を形成する。
【００３６】
前記角形状係止部１０は、前記円形状係止部１１との間に、前記角形状係止部１０とは別個の係止部１０を形成してもよい。
【００３７】
さらに、前記角形状係止部１０、１０は、各辺同士が同一面として、平行状態となっている。
【００３８】
また、前記ドリル取着体ａのドリル１を嵌脱するには、ドリル嵌脱機構ｃによって行う。
【００３９】
前記ドリル嵌脱機構ｃは、ドリル取着体ａと一体となって組立てられている。
【００４０】
前記ドリル取着体ａは、前記した構成の外に、下記の構成からなっている。
【００４１】
このドリル取着体ａは、円形状係止部１１と、シャンク１４との間の外周部９の径を、前記円形状係止部１１の径よりも小径とする。
【００４２】
そして、前記外周部９に、前記ドリル嵌挿孔８に違する傾斜状切欠部１５を形成し、前記傾斜状切欠部１５の傾斜角度は、前記シャンク１４から前記円形状係止部１１の方向に傾斜させて形成する。
【００４３】
前記ドリル取着体ａには、バネ１６を捲廻し、バネ１６の前端部を前記傾斜状切欠部１５に嵌挿する。
【００４４】
２１は前記取着体ａに嵌挿するバネ被覆筒体であり以下の構成からなる。
【００４５】
このバネ被覆筒体２１は、前方に前記開口部１７を有し、後方には前記ドリル取着体ａに嵌挿の嵌挿孔１８を有し、且前記バネ１６を押圧する底部２０を構成する。
【００４６】
そして、前記バネ被覆筒体２１を前記ドリル取着体ａに嵌挿して前記バネ１６の後端部を前記バネ被覆筒体２１の底部２０に係止し、且前記バネ被覆筒体２１の底部２０を前記ドリル取着体ａの外周部９に嵌挿の止めリング２２によって後方への飛出を阻止する。
【００４７】
前記バネ１６の前端部を押圧する小径嵌挿孔１９付き押圧板部２３と、前記前方挿入体ｂと前記バネ被覆筒体２１の外周に嵌挿するスライド筒体２４を形成する。
【００４８】
さらに、前記スライド筒体２４を前記ドリル取着体ａに前記押圧板部２３を嵌挿し、且前記ドリル取着体ａと前記バネ被覆筒体２１に被覆せしめる。
【００４９】
ｅは第２実施例のドリル取着体であり、以下の構成からなる。
【００５０】
前方に開口部２５を有するドリル１の頭部１ａが嵌挿可能な嵌挿孔２６を形成し、後方部にシャンク１４を形成する。そして前記開口部２５側方の外周部２７に、スリット付きの雄ネジ２８を形成し、且前記シャンク１４側方に嵌挿部２９を形成する。前記外周部２７にボール７ｃの一部が挿入する凹部２７ａを形成する。
【００５１】
さらに、前記雄ネジ２８に螺着する内側に雌ネジを形成するキャップ３０を形成する。
【００５２】
ｆは第２実施例のドライバービット挿入体であり、以下の構成からなる。
【００５３】
前記ドリル１を嵌挿し、且前記ドリル取着体ｅに嵌脱自在な後方開口部３１を有するドリル収納部３２を形成し、前記ドリル収納部３２の前方部にドライバービット３３を挿入する前方開口部３４付きの嵌挿部３５を有し、前記嵌挿部３５に磁石体３６を嵌挿して形成する。
【００５４】
前記ドライバービット挿入体ｆの後方開口部３１寄りに、前記ボール７ｃが嵌挿する貫通孔３１ａを形成する。７ｄは前記貫通孔３１ａに嵌挿するボール７ｃの飛出を防止する前記ビット挿入体ｆに捲廻したバンドである。
【００５５】
さらに、前記ドリル取着体ｅに、前記ドライバービット挿入体ｆのドリル収納部３２を嵌脱自在に挿入する。その際、前記ドリル取着体ｅの凹部２７ａに前記ボール７ｃの一部が嵌挿し、前記ドリル取着体ｅと前記ドライバービット挿入体ｆが確実に嵌着する。前記のように両体ｅ、ｆが嵌着された後、前記ドリル取着体ｅを電動工具の先端部に接続し使用する。
【００５６】
また、前記ドリル取着体ｅは、前方に開口部２５を有するドリル１の頭部１ａが嵌挿可能な嵌挿孔２６を形成し、後方部にシャンク１４を形成し、前記開口部２５寄りの外周部２７から前記嵌挿孔２６に達する螺孔３７を形成する。
【００５７】
さらに、前記螺孔３７に六角ボルト３８を螺入し、ドリル１の頭部１ａを固着し、前記外周部２７に嵌挿部２９を形成する。
【００５８】
前記ドリル取着体ａに、前記ドライバービット挿入体ｂを嵌挿させると、前記ドリル取着体ａの前方部に形成の角形状係止部１０と円形状係止部１１に、前記ドライバービット挿入体ｂの後方嵌挿部７が嵌挿すると、断面が円形状の円形状嵌挿部１２と、角形状嵌挿部１３によって、がたつくことなく両部材が確実に嵌着する。
【００５９】
そのため、回転作業時に、前記ビット挿入体ｂと、前記ドリル取着体ａとががたつかず、作業が良好にできる。
【００６０】
前記ドライバービット挿入体ｂが、前記ドリル取着体ａに嵌挿すると、捲廻されるバンド７ａによって飛出が防止されているボール７ｃが、前記２個の角形状係止部１０、１０の間の間隙部１０ａに嵌合して、前記ドリル取着体ａに嵌挿した前記ドライバービット挿入体ｂが不意に離脱するのを阻止する。
【００６１】
さらに、前記ビット挿入体ｂを抜くときは、手指でつかみ引くだけで、前記ドリル取着体ａから確実にワンタッチで抜くことができる。
【００６２】
また、本考案は、ドリルを交換するのに取出すときは、ドリル嵌脱機構ｃをシャンク１４の方向に押すと、押圧板部２３が、傾斜状切欠部１５に入っているバネ１６を押上げる。前記バネ１６が押上げられると、前記ドリル１の頭部１ａの凹部１ｂから外れるので、そのまゝ前記ドリル１を抜けば容易に取出すことができる。前記のドリル１の取出し後は、前記ドリル嵌脱機構ｃの押しを解除すれば、前記バネ１６の一端部は前記切欠部１５に嵌込む。
【００６３】
さらに本考案は、第２実施例のドリル取着体ｅとドライバービット挿入体ｆとの作用について説明する。
【００６４】
前記ドリル取着体ｅを構成するクランク１４を、電動工具（図面なし）に嵌着して使用する点は前記のドリル取着体ａと同様である。
【００６５】
しかし、前記ドリル取着体ｅに、第２実施例のドライバービット挿入体ｆを嵌脱するには、前記ドライバービット挿入体ｆの後方開口部３１からドリル収納部３２内に、前記ドリル１を先頭に嵌挿すると、前記後方開口部３１より若干内側に形成の段部３１ａに前記嵌挿部２９に係止して嵌挿がストップされる。
【００６６】
上記のようにして組立てられた前記ドライバービット挿入体ｆは、前記ドリル取着体ｅに嵌挿されたまゝの状態で作業ができる。
【図面の簡単な説明】
【００６７】
【図１】本考案ドリル付き電動工具を構成するドリル取着体の分解斜視図である。
【００６８】
【図２】図１のドリル取着体にドリルを嵌挿しドリル嵌脱機構とバネ被覆体等をもって組立てた斜視図である。
【００６９】
【図３】図２の状態からドリルを脱出せしめた縦断面図である。
【００７０】
【図４】図３の状態からドリルを嵌挿せしめた一部切欠縦断面図である。
【００７１】
【図５】図４の状態からドリルを若干離脱せしめた縦断面図である。
【００７２】
【図６】図４のドリルを嵌挿したドリル取着体に、ドライバービット挿入体を嵌着せしめた状態の縦断面図である。
【００７３】
【図７】図６のドライバービット挿入体の頭部にドライバービットを保護するカバーを嵌挿した縦断面図である。
【００７４】
【図８】ドリル取着体と、ドライバービット挿入体の第２実施例の縦断面図である。
【００７５】
【図９】図８のドリル取着体の第３実施例の縦断面図である。
【符号の説明】
【００７６】
ａ      ドリル取着体
ｂ      ドライバービット挿入体
ｃ      ドリル嵌脱機構
ｅ      ドリル取着体
ｆ      ドライバービット挿入体
１      ドリル
１ａ    頭部
２      前方開口部
３      ドリル収納部
３ａ    バネ
４      ドライバービット
４ａ    磁石体
５      前方開口部
６      嵌挿部
７      後方嵌挿部
７ａ    後方開口部
７ｂ    貫通孔
７ｃ    ボール
７ｄ    バンド
９      外周部
１０    角形状係止部
１１    円形状係止部
１２    円形状嵌挿部
１３    角形状嵌挿部
１４    シャンク
１５    傾斜状切欠部
１６    バネ
１７    開口部
１８    嵌挿孔
１９    小径嵌挿孔
２０    底部
２１    バネ被覆筒体
２２    止めリング
２３    押圧板部
２４    スライド筒体
２５    開口部
２６    嵌挿孔
２７    外周部
２７ａ  凹部
２８    雄ネジ
２９    嵌挿部
３０    キャップ
３１    後方開口部
３１ａ  貫通孔
３２    ドリル収納部
３３    ドライバービット
３４    前方開口部
３５    嵌挿部
３６    磁石体
３７    螺孔
３８    六角ボルト
【図１】
0003135811.tif 000003
【図２】
0003135811.tif 000004
【図３】
0003135811.tif 000005
【図４】
0003135811.tif 000006
【図５】
0003135811.tif 000007
【図６】
0003135811.tif 000008
【図７】
0003135811.tif 000009
【図８】
0003135811.tif 000010
【図９】
0003135811.tif 000011